(57)【要約】【課題】前垂れの反返しや抜け落ちを防止しずれの少ないふんどしとその採寸方法、開封時の面白みに着目したふんどし型収容袋を提供する。【解決手段】ふんどし（１）は、腰紐（１１）及び帯状布（１２）からなる平面Ｔ字状である。帯状布（１２）は、腰紐との縫合部（１３）から長手方向の他端途中にかけて連なる本体部（１４）と、この他端途中から長手方向の他端にかけて連なる前垂れ部（１５）と、からなり、本体部（１４）と前垂れ部（１５）とが重畳された重畳部（１６）は、水平方向に縫合され、垂直方向に開放されている。重畳部（１６）には、複数枚の生地が重なった結果、段差が形成されている。この段差を利用して腰紐（１１）を掛止したり、重畳部（１６）の開放域に腰紐（１１）を通して結ぶことで、本体部（１４）や前垂れ部（１３）のずれを防止することができる。
2017115527.tif 000002
【特許請求の範囲】
【請求項１】
水平方向に延びる腰紐と、垂直方向に延びる帯状布と、からなり、前記帯状布の一端が前記腰紐と縫合されている平面Ｔ字状のふんどしであって、  前記帯状布は、前記腰紐との縫合部から長手方向の他端途中にかけて連なる本体部と、この他端途中から長手方向の他端にかけて連なる前垂れ部と、からなり、  前記本体部と前記前垂れ部とが重畳された重畳部は、水平方向に縫合され、垂直方向に開放されていることを特徴とするふんどし。
【請求項２】
前記腰紐の全部又は一部は、マジックテープであることを特徴とする請求項１記載のふんどし。
【請求項３】
前記腰紐は、水平方向の胴回りの計測を可能とする目盛りが設けられていることを特徴とする請求項１又は２記載のふんどし。
【請求項４】
水平方向に延びる腰紐と、垂直方向に延びる帯状布と、からなり、前記帯状布の一端が前記腰紐と縫合されている平面Ｔ字状のふんどしの採寸方法であって、  前記帯状布に垂直方向の長さの計測を可能とする目盛りが設けられており、着用状態において前記目盛りを読み取ることにより、前記帯状布の寸法を決定することを特徴とするふんどしの採寸方法。
【請求項５】
前記帯状布は、前記腰紐との縫合部から長手方向の他端途中にかけて連なる本体部と、この他端途中から長手方向の他端にかけて連なる前垂れ部と、前記本体部と前記前垂れ部とが重畳された重畳部と、からなり、  着用状態において前記目盛りを読み取ることにより、前記本体部、前記前垂れ部及び前記重畳部の寸法を決定することを特徴とする請求項４記載のふんどしの採寸方法。
【請求項６】
前記腰紐は、水平方向の胴回りの計測を可能とする目盛りが設けられており、  着用状態において前記目盛りを読み取ることにより、前記腰紐の寸法を決定することを特徴とする請求項４又は５記載のふんどしの採寸方法。
【請求項７】
内部に被収容物を収容する本体部と、  前記本体部の前面側の一部を覆う前垂れ部と、  前記本体部の左右側面側に設けられた一対の挿通部と、  を有し、  前記一対の挿通部を介して挿通された腰紐の端部が、前記前垂れ部の表側又は裏側で結束されているふんどし型収容袋であって、  前記本体部の前面側は、前記前垂れ部と略同一形状の開封用切り込みが形成されていることを特徴とするふんどし型収容袋。 
【発明の詳細な説明】
【技術分野】
【０００１】  本発明は、腰紐と帯状布とから構成される平面Ｔ字状のふんどしとその採寸方法及びかかる平面Ｔ字状のふんどしを模したふんどし型収容袋に関する。
【背景技術】
【０００２】  日本の伝統的な下着であるふんどしは、古来より神事の際はもちろん、男性の日常的な下着として長く愛用されてきたものの、西洋の下着の導入と普及により、神事の際の晴れ着として着用される場面はあっても、日常的な下着としての意識は失われつつあった。【０００３】  近年、ふんどしの機能性や快適性が叫ばれ、２月１４日をふんどしの日として認定を受け、ふんどしを愛用する女子“ふんじょ”の愛称が流行るなど、ふんどしが脚光を浴びつつある。【０００４】  その反面、ふんどしの前垂れ部分がずれたり、腹部から臀部を覆う布が弛んだりと、西洋の下着（いわゆるパンツ）と比較して履き心地に違和感がある場合もあり、それらを解消するふんどしやふんどし形パンツとして、特開２０００−７３２０１号公報、特開２００６−９２２２号公報、実用新案登録第３１８８２９０号公報など種々提案されている。【０００５】  このうち、図５に示すように、特許文献１のふんどし１００は、紐１０１，１０２とベース布１０３とを備え、ベース布１０３の前側端部は表側に折り返されて前垂れ１０４を形成し、その折り返し端部から一定の間隔を空けて縫い目１０６が設けられており、紐１０１を通すための紐通し１０５が形成される。縫い目１０６は、紐通し１０５を形成する機能の他に、前垂れ１０４を上下に折り返すための折り目としての機能を有している。【０００６】  かかる特許文献１のふんどし１００によれば、越中スタイルで使用する際の前垂れの反返しを防止したり、紐通し１０５によってもっこスタイルで使用する際の前垂れの抜け落ちを防止している。
【先行技術文献】
【特許文献】
【０００７】
【特許文献１】実用新案登録第３１８８２９０公報（段落［００１６］−［００２０］）
【発明の概要】
【発明が解決しようとする課題】
【０００８】  しかしながら、特許文献１のふんどしは、ベース布１０３の前側端部を表側に折り返し、その折り返し端部から一定の間隔を空けて縫い目１０６が設けられ、紐１０１を通すための紐通し１０５が形成されて前垂れ１０４を形成している構造であるから、越中スタイルの場合は、紐通し１０５の下方（前垂れ１０４の裏側）に紐が位置することとなり、装着した際の腹部に対して紐通し１０５が邪魔となる。また、もっこスタイルの場合は、紐通し１０５に紐が位置することとなるが、越中スタイルとは別の位置に紐が位置することで装着時の違和感が生ずることがある。【０００９】  本発明はこのような点に鑑みてなされたものであり、その目的は、越中スタイル及びもっこスタイルのどちらの場合でも、同じような装着状態を体感でき、前垂れの反返しや抜け落ちを防止することができるふんどしを提供することにある。【００１０】  また、従来の収容袋にはない斬新な構造と開封時の面白みに着目したふんどし型収容袋を提供することにある。
【課題を解決するための手段】
【００１１】  上記課題を解決するために、本発明のふんどしは、水平方向に延びる腰紐と、垂直方向に延びる帯状布と、からなり、前記帯状布の一端が前記腰紐と縫合されている平面Ｔ字状であって、前記帯状布は、前記腰紐との縫合部から長手方向の他端途中にかけて連なる本体部と、この他端途中から長手方向の他端にかけて連なる前垂れ部と、からなり、前記本体部と前記前垂れ部とが重畳された重畳部は、水平方向に縫合され、垂直方向に開放されていることを特徴とする。【００１２】  本発明によれば、越中スタイルの場合は腰紐が重畳部に位置し、もっこスタイルの場合は腰紐が重畳部内に位置することから、どちらの場合でも違和感なく同じような装着状態を体感することができる。また、腰紐の下方又は下部に位置する重畳部が重しとなって、前垂れ部の反返しや抜け落ちを防止することができる。さらに、重畳部と本体部又は前垂れ部とで形成される段差によって腰紐と前垂れ部との固定を維持することで、前垂れ部の反返しや抜け落ちを防止することができる。【００１３】  本発明のふんどし型収容袋は、内部に被収容物を収容する本体部と、前記本体部の前面側の一部を覆う前垂れ部と、前記本体部の左右側面側に設けられた一対の挿通部と、を有し、前記一通の挿通部を介して挿通された腰紐の端部が、前記前垂れ部の表側又は裏側で結束されているふんどし型収容袋であって、前記本体部の前面側は、前記前垂れ部と略同一形状の開封用切り込みが形成されていることを特徴とする。【００１４】  本発明によれば、従来の収容袋にはない平面Ｔ字状のふんどしを模したふんどし型収容袋の斬新な構造によって、内部に収容されている被収容物（ふんどし）を開封して取り出す際に、ふんどしを脱がせる動作を顧客に行わせるという開封時の面白みを味あわせることができる。
【発明の効果】
【００１５】  本発明のふんどしは、装着スタイルに関わらず違和感なく同じような装着状態を体感することができるとともに、ずれにくいという効果がある。  また、本発明のふんどし型収容袋は、顧客に開封時の面白みを味あわせることができるという効果がある。
【図面の簡単な説明】
【００１６】
【図１】本発明の実施の形態に係るふんどしの外観図である。
【図２】本発明の実施の形態に係るふんどしの部分拡大側面図である。
【図３】本発明の実施の形態に係るふんどしの部分拡大側面図である。
【図４】本発明の実施の形態に係るふんどし型収容袋を示す図である。
【図５】従来のふんどしの例を示す図である。
【図６】本発明の他の実施の形態に係るふんどしの外観図である。
【図７】本発明の他の実施の形態に係るふんどしの外観図である。
【図８】本発明の他の実施の形態に係るふんどしの外観図である。
【発明を実施するための最良の形態】
【００１７】  以下、本発明の実施の形態について図面に基づいて説明する。なお、本明細書中の「ふんどし」は、“パンドルショーツ”、“サムライパンツ”、“トラディショナルパンツ”などの別名や、“おしゃふん”、“あいふん”、“しゃれふん”などの愛称で呼ばれることもある。【００１８】  図１は、本発明の実施の形態に係るふんどし１の外観図であり、（ａ）は裏面図、（ｂ）は表面図である。ふんどし１を構成する腰紐１１及び帯状布１２，１３は、麻・絹・竹布・綿・化学繊維などを素材としており、腰紐１１を赤色、帯状布１２，１３を黒色（紺色）とするなど種々の色合いを採用する。【００１９】  腰紐１１は、垂直方向を短辺とし水平方向を長辺とする長方形を呈しており、帯状布１２は、水平方向を短辺とし垂直方向を長辺とする長方形を呈している。すなわち、ふんどし１は、水平方向に延びる腰紐１１及び垂直方向に延びる帯状布１２からなり、腰紐１１と帯状布１２とが縫合されて平面Ｔ字状を呈している。なお、図１では、１本の腰紐１１と帯状布１２とを縫合して平面Ｔ字状としているが、これに限らず、左右２本の腰紐を帯状布１２の左右一端に各々縫合して平面Ｔ字状とすることもできる。【００２０】  腰紐１１と帯状布１２との縫合部１３は、腰紐１１で帯状布１２を挟んで縫合する。すなわち、腰紐１１は、１枚の薄手生地を二つ折りにした状態で帯状布１２を挟んでおり、腰紐１１自体の強度を確保し、縫合部１３の強度を確保している。なお、縫合部１３として、腰紐１１と帯状布１２を対向して縫合することも可能である。【００２１】  帯状布１２は、腰紐１１との縫合部１３から長手方向の他端途中にかけて連なる本体部１４と、この他端途中から長手方向の他端にかけて連なる前垂れ部１５と、からなり、本体部１４と前垂れ部１５とが重畳された重畳部１６を有している。すなわち、重畳部１６においては、本体部１４及び前垂れ部１５の生地が重ね合わされ、複数層を形成している。重畳部１６において本体部１４及び前垂れ部１５の生地が重ね合わされた状態で、各生地の端部を水平方向に縫合することで、垂直方向側が開放された開放部１７を形成することができる。【００２２】  図２及び図３は、本発明の実施の形態に係るふんどし１の部分拡大側面図であり、重畳部１６近辺を部分的に拡大している。【００２３】  図２は、本体部１４と前垂れ部１５とを別々の２枚の生地で構成しており、２枚の生地を重ね合わせて重畳部１６を形成している。本体部１４と前垂れ部１５とを重畳して縫合した結果、垂直方向の開口を有する開放部１７が形成され、開放部１７に腰紐１１を通すことができる。また、図３は、本体部１４と前垂れ部１５とを１枚の同一の生地で構成しており、一部を折り畳み重ね合わせて重畳部１６を形成している。この場合は、垂直方向の開口を有する開放部１７が複数形成され、いずれかの開放部１７に腰紐１１を通すことができる。【００２４】  重畳部１６には、複数枚の生地が重なった結果、段差１８ａ，１８ｂが形成される。この段差１８ａ，１８ｂを利用して腰紐１１を掛止することで、本体部１４や前垂れ部１３のずれを防止することができる。【００２５】  ふんどし１を装着する場合は、裏面の後ろ側を装着者の尻側にあて、腰紐１１を腰回りに回して結束する。この時点で帯状布１２は装着者の尻側で垂れ下がっているため、股の間を介して腹側に回して腰紐１１の内側を通し、帯状布１２を前に持ってくる。本体部１４及び前垂れ部１５と腰紐１１との位置を段差１８ａ，１８ｂを利用するなどして適宜調整して、前垂れ部１５を腰紐１１に掛止する。これにより、装着者の腰回りの前方及び後方を帯状布１２でカバーすることができる。【００２６】  また、ふんどし１の別の装着方法としては、予め腰紐１１を開放部１７に通しておき、脚からふんどし１を履くような形で股の間にあて、腰紐を結んで位置調整する。開放部１７の領域内で腰紐１１が固定されていることから、ずれの少ない装着スタイルにより、装着者の腰回りの前方及び後方を帯状布１２でカバーすることができる。【００２７】  図４は、本発明の実施の形態に係るふんどし型収容袋２を示す図であり、（ａ）は平面図、（ｂ）は腰紐２５を付けた状態の平面図、（ｃ）は展開図である。【００２８】  ふんどし型収容袋２は、内部に被収容物３を収容する本体部２１と、本体部２１の前面側に形成された開封用切り込み２２と、本体部２１の前面側の一部を覆う前垂れ部２３と、本体部２１の左右側面側に設けられた一対の挿通部２４と、からなる。【００２９】  本体部２１の一部領域に開封用切り込み２２が形成されており、開封用切り込み２２の領域内に前垂れ部２３が観音開き構造で形成されている。例えば、前垂れ部２３の上部のみが開封用切り込み２２の領域内で接着されている。また、本体部２１の左右側面側には腰紐２５を内部に通す一対の挿通部２４が設けられ、内部を通された腰紐２５は左右の挿通部２４から突出し、腰紐２５の端部同士を前垂れ部２３の表側又は裏側で結束している。なお、一対の挿通部２４を設ける代わりに、腰紐２５を本体部２１に接着して、腰紐２５の端部同士を前垂れ部２３の表側又は裏側で結束することもできる。【００３０】  ふんどし型収容袋２から被収容物３を取り出す際には、まず、腰紐２５を解く。腰紐２５が前垂れ部２３の裏側で結束している場合は（図４（ｂ））、前垂れ部２３の一端を持ち上げて結束を解く。次に、前垂れ部２３を引っ張ることで開封用切り込み２２に沿って本体部２１と剥離部２１ａとが剥離される。よって、ふんどし型収容袋２は開封用切り込み２２によって開封され、被収容物３を取り出すことができる。【００３１】  なお、被収容物３としてふんどし１を用いる場合は、ふんどし型収容袋２の腰紐２５を腰紐１１として、腰紐１１を挿通部２４から突出して結束すると、より面白みのある収容態様（包装態様）とすることができる。【００３２】  図６は、本発明の他の実施の形態に係るふんどし１’の外観図であり、図１と異なる点は、腰紐をマジックテープ１１’とした点である。紐を結ぶ代わりにマジックテープ１１’を使用することにより、着脱の容易性を向上させること、結び目の不快感をなくすこと、結び目が緩む不快感をなくすことができる。なお、図６は腰紐の全部をマジックテープ１１’としているが、一部をマジックテープで構成し他を紐で構成することでもよい。【００３３】  図７は、本発明の他の実施の形態に係るふんどし１’の外観図で��り、図１と異なる点は、腰紐をマジックテープ１１’とし、マジックテープ１１’部分に目盛り３１を付けた点である。目盛り３１により、容易に胴囲を計測して把握できる。なお、腰紐に目盛り３１を設けることでも胴囲を計測して把握できるが、マジックテープ１１’にすることで、結び目の位置に左右されずに計測が容易である。【００３４】  図８は、本発明の他の実施の形態に係るふんどし１”の外観図であり、図１と異なる点は、帯状布１２の本体部１４’に目盛り３２が、帯状布１２の前垂れ部１５’に目盛り３３が、それぞれの垂直方向に独立して設けられている点である。これにより、着用状態において本体部１４’の目盛りと前垂れ部１５’の目盛り３３を読み上げてもらうことにより、本体部１４’、前垂れ部１５’及び重畳部の寸法を決定することができ、容易にオーダーメイドふんどし用の採寸ができるようになる。
【産業上の利用可能性】
【００３５】  本発明に係るふんどしはずれにくく、本発明に係るふんどし型収容袋は開封時の面白みを味あわせることができるものとして有用である。
【符号の説明】
【００３６】    １，１’，１”  ふんどし  １１  腰紐  １１’  マジックテープ  １２  帯状布  １３  縫合部  １４  本体部  １５  前垂れ部  １６  重畳部  １７  開放部  １８ａ，１８ｂ  段差    ２  ふんどし型収容袋  ２１  本体部  ２１ａ  剥離部  ２２  開封用切り込み  ２３  前垂れ部  ２４  挿通部  ２５  腰紐    ３  被収容物  ３１，３２，３３  目盛り 
【図１】
2017115527.tif 000003
【図２】
2017115527.tif 000004
【図３】
2017115527.tif 000005
【図４】
2017115527.tif 000006
【図５】
2017115527.tif 000007
【図６】
2017115527.tif 000008
【図７】
2017115527.tif 000009
【図８】
2017115527.tif 000010
【国際調査報告】
2017115527.tif 000011
2017115527.tif 000012
2017115527.tif 000013
2017115527.tif 000014
2017115527.tif 000015
2017115527.tif 000016
2017115527.tif 000017